(57)【要約】【課題】電子機器の搭載可能領域における電子機器の搭載密度を向上する。【解決手段】ラックマウント装置は、垂直方向に前後左右４隅に立設された４つのマウントアングルと、前記４つのマウントアングルのうち左前と左後のマウントアングルの間に及び右前と右後のマウントアングルの間に配置され、前記左前と前記左後のマウントアングルに及び前記右前と前記右後のマウントアングルに両端部が其々同じ高さで固定されたブラケットと、前記ブラケットに平行に配置されたシャフトと、前記左前と前記左後のマウントアングルの間に及び前記右前と前記右後のマウントアングルの間に配置され、前記ブラケットに固定され、前記シャフトを通す貫通穴を有するシャフト支持部と、を有し、前記シャフトの一端が電子機器に固定され、前記左前と前記右前のマウントアングルの内側に前記電子機器が配置されている。【選択図】図１Ｂ
2018093062.tif 000002
【特許請求の範囲】
【請求項１】
垂直方向に前後左右４隅に立設された４つのマウントアングルと、
前記４つのマウントアングルのうち左前と左後のマウントアングルの間に及び右前と右後のマウントアングルの間に配置され、前記左前と前記左後のマウントアングルに及び前記右前と前記右後のマウントアングルに両端部が其々同じ高さで固定されたブラケットと、
前記ブラケットに平行に配置されたシャフトと、
前記左前と前記左後のマウントアングルの間に及び前記右前と前記右後のマウントアングルの間に配置され、前記ブラケットに固定され、前記シャフトを通す貫通穴を有するシャフト支持部と、を有し、
前記シャフトの一端が電子機器に固定され、前記左前と前記右前のマウントアングルの内側に前記電子機器が配置されている、ことを特徴とするラックマウント装置。
【請求項２】
前記シャフト支持部は、前記ブラケットに対する固定位置が変更可能である請求項１に記載のラックマウント装置。
【請求項３】
前記シャフトの他端に設けられたネジを備え、
前記電子機器が第１方向に移動し、前記ネジが前記シャフト支持部に当たることで前記電子機器の前記第１方向への移動が規制される請求項３に記載のラックマウント装置。
【請求項４】
筐体と、
前記筐体に一端が固定されたシャフトと、
を備え、
垂直方向に前後左右４隅に立設された４つのマウントアングルのうち左前と左後のマウントアングルの間に及び右前と右後のマウントアングルの間に配置され、前記左前と前記左後のマウントアングルに及び前記右前と前記右後のマウントアングルに両端部が其々同じ高さで固定されたブラケットに対して、前記シャフトが平行に配置され、
前記左前と前記左後のマウントアングルの間に及び前記右前と前記右後のマウントアングルの間に配置され、前記ブラケットに固定されたシャフト支持部の貫通孔を前記シャフトが通り、
前記左前と前記右前のマウントアングルの内側に前記筐体が配置されている、ことを特徴とするラックマウント型情報処理装置。
【請求項５】
垂直方向に前後左右４隅に立設された４つのマウントアングルと、
前記４つのマウントアングルのうち左前と右前のマウントアングルにそれぞれ取り付けられ、シャフトを通す貫通穴を有するシャフト支持部と、を有し、
前記シャフトの一端が電子機器に固定され、前記左前と前記右前のマウントアングルの内側に前記電子機器が配置されている、ことを特徴とするラックマウント装置。
【発明の詳細な説明】
【技術分野】
【０００１】
本発明は、ラックマウント装置及びラックマウント型情報処理装置に関する。
【背景技術】
【０００２】
データセンターに設置されるラックマウント装置は、近年、部品搭載エリアを広く確保することが要求されると共に、活性保守も要求されている。サーバ等の電子機器（情報処理装置）を停止させずに部品を交換する作業を活性保守と呼ぶ。ラックマウント装置から電子機器を引き出して電子機器の上面からＦＡＮ等の保守部品を保守することにより、活性保守が行われる。
【０００３】
図１８は、電子機器１１０に追従するスライドレール１１１を電子機器１１０に取り付けて、ラックマウントアングル１１２に電子機器１１０を搭載するラックマウント装置１０１の斜視図である。ラックマウント装置１０１の活性保守を行う場合、スライドレール１１１に沿って電子機器１１０が動くことにより、ラックマウント装置１０１から電子機器１１０が引き出されて、保守部品１１３の交換が行われる。図１８の（Ａ）は、ラックマウント装置１０１から電子機器１１０が引き出される前のラックマウント装置１０１が示されている。図１８の（Ｂ）は、ラックマウント装置１０１から電子機器１１０が引き出された後のラックマウント装置１０１が示されている。
【０００４】
図１９は、Ｌ字形状のブラケット２１１をラックマウントアングル２１２に固定して、ブラケット２１１に電子機器２１０を搭載するラックマウント装置２０１の斜視図である。ラックマウント装置２０１の活性保守を行う場合、電子機器２１０をラックマウント装置２０１から引っ張って引き出すことにより、若しくは電子機器２１０をラックマウント装置２０１から降ろすことにより、保守部品２１３の交換が行われる。図１９の（Ａ）は、ラックマウント装置２０１から電子機器２１０が引き出される前のラックマウント装置２０１が示されている。図１９の（Ｂ）は、ラックマウント装置２０１から電子機器２１０が引き出された後のラックマウント装置２０１が示されている。図１９の（Ｃ）は、ラックマウント装置２０１から電子機器２１０を降ろした後の電子機器２１０が示されている。
【先行技術文献】
【特許文献】
【０００５】
【特許文献１】特開２０１１−２２２６３８号公報
【特許文献２】特開２０１５−１６００７３号公報
【発明の概要】
【発明が解決しようとする課題】
【０００６】
図２０は、図１８に示すラックマウント装置１０１の正面図であって、電子機器１１０の搭載可能領域１２０が点線で示されている。電子機器１１０の搭載可能領域１２０は、ラックマウント装置１０１に電子機器１１０を搭載した際やラックマウント装置１０１から電子機器１１０を引き出した際に、電子機器１１０がラックマウントアングル１１２に接触しない領域である。図１８及び図２０に示すラックマウント装置１０１の場合、電子機器１１０の左右両側であって且つ左右２つのラックマウントアングル１１２の内側にスライドレール１１１が搭載されるため、電子機器１１０の搭載可能領域１２０内にスライドレール１１１を搭載するための領域を設ける必要がある。電子機器１１０の搭載可能領域１２０内にスライドレール１１１を搭載するための領域を設ける場合、電気機器１１０の幅１２１がスライドレール１１１の幅１３１の分だけ小さい。そのため、電子機器１１
０が搭載された領域が電子機器１１０の搭載可能領域１２０よりも小さくなり、電子機器１１０の搭載密度（実装密度）が低下する。
【０００７】
図２１は、図１９に示すラックマウント装置２０１の正面図であって、電子機器２１０の搭載可能領域２２０が点線で示されている。図１９及び図２１に示すラックマウント装置２０１の場合、電子機器２１０の左右両側であって且つ左右２つのラックマウントアングル１１２の内側に及び下側にブラケット２１１が搭載されるため、電子機器２１０の搭載可能領域２２０内にブラケット２１１を搭載するための領域を設ける必要がある。電子機器２１０の搭載可能領域２２０内にブラケット２１１を搭載するための領域を設ける場合、電子機器２１０の幅２２１及び高さ２２２がブラケット２１１の幅２３１及び厚み２３２の分だけそれぞれ小さい。そのため、電子機器２１０が搭載された領域が電子機器２１０の搭載可能領域２２０よりも小さくなり、電子機器２１０の搭載密度が低下する。また、図１９及び図２１に示すラックマウント装置２０１において、ラックマウント装置２０１から電子機器２１０を降ろして保守部品２１３の交換を行う場合、ラックマウント装置２０１から電子機器２１０を降ろす作業とラックマウント装置２０１に再搭載する作業が発生するため、保守性が低下する。
【０００８】
本願は、上記の課題に鑑みてなされたものであり、電子機器の搭載可能領域における電子機器の搭載密度を向上する技術を提供する。
【課題を解決するための手段】
【０００９】
本願の一観点によれば、垂直方向に前後左右４隅に立設された４つのマウントアングルと、前記４つのマウントアングルのうち左前と左後のマウントアングルの間に及び右前と右後のマウントアングルの間に配置され、前記左前と前記左後のマウントアングルに及び前記右前と前記右後のマウントアングルに両端部が其々同じ高さで固定されたブラケットと、前記ブラケットに平行に配置されたシャフトと、前記左前と前記左後のマウントアングルの間に及び前記右前と前記右後のマウントアングルの間に配置され、前記ブラケットに固定され、前記シャフトを通す貫通穴を有するシャフト支持部と、を有し、前記シャフトの一端が電子機器に固定され、前記左前と前記右前のマウントアングルの内側に前記電子機器が配置されている、ラックマウント装置が提供される。
【００１０】
本願の一観点によれば、筐体と、前記筐体に一端が固定されたシャフトと、を備え、垂直方向に前後左右４隅に立設された４つのマウントアングルのうち左前と左後のマウントアングルの間に及び右前と右後のマウントアングルの間に配置され、前記左前と前記左後のマウントアングルに及び前記右前と前記右後のマウントアングルに両端部が其々同じ高さで固定されたブラケットに対して、前記シャフトが平行に配置され、前記左前と前記左後のマウントアングルの間に及び前記右前と前記右後のマウントアングルの間に配置され、前記ブラケットに固定されたシャフト支持部の貫通孔を前記シャフトが通り、前記左前と前記右前のマウントアングルの内側に前記筐体が配置されている、ラックマウント型情報処理装置が提供される。
【発明の効果】
【００１１】
本願によれば、電子機器の搭載可能領域における電子機器の実装密度を向上できる。
【図面の簡単な説明】
【００１２】
【図１Ａ】図１Ａは、ラックマウント装置の一例を示す斜視図である。
【図１Ｂ】図１Ｂは、ラックマウント装置の一例を示す平面図である。
【図１Ｃ】図１Ｃは、ラックマウント装置の一例を示す正面図である。
【図２】図２は、シャフトの一例を示す斜視図である。
【図３】図３は、ラック固定用ブラケット及びシャフトストッパーの一例を示す斜視図である。
【図４】図４は、図３のＡ−Ａ断面図である。
【図５】図５は、ラック固定用ブラケット及びシャフトストッパーの一例を示す斜視図である。
【図６Ａ】図６Ａは、ラックマウント装置の一例を示す正面図である。
【図６Ｂ】図６Ｂは、ラックマウント装置の一例を示す正面図である。
【図７】図７は、ラックマウント装置の一例を示す平面図である。
【図８】図８の（Ａ）及び（Ｂ）は、ラックマウント装置の一例を示す平面図である。
【図９】図９は、ラックマウント装置の一例を示す正面図である。
【図１０Ａ】図１０Ａは、実施例に係るラックマウント装置の一例を示す斜視図である。
【図１０Ｂ】図１０Ｂは、実施例に係るラックマウント装置の一例を示す斜視図である。
【図１１】図１１は、実施例に係るラックマウント装置の一例を示す平面図である。
【図１２】図１２は、実施例に係るサーバ装置が搭載された領域と、参考例に係る電子機器が搭載された領域との比較図である。
【図１３】図１３は、実施例に係るサーバ装置が搭載された領域と、参考例に係る電子機器が領域された領域との比較図である。
【図１４】図１４は、参考例に係るラックマウント装置の平面図である。
【図１５】図１５は、参考例に係るラックマウント装置の平面図である。
【図１６】図１６は、実施例に係るラックマウント装置の平面図である。
【図１７】図１７の（Ａ）及び（Ｂ）は、実施例に係るラックマウント装置の一例を示す斜視図である。
【図１８】図１８は、参考例に係るラックマウント装置の斜視図である。
【図１９】図１９は、参考例に係るラックマウント装置の斜視図である。
【図２０】図２０は、参考例に係るラックマウント装置の正面図である。
【図２１】図２１は、参考例に係るラックマウント装置の正面図である。
【図２２】図２２は、変形例に係るラックマウント装置の一例を示す平面図である。
【発明を実施するための形態】
【００１３】
以下、図面を参照して、実施形態を詳細に説明する。以下の実施形態の構成は例示であり、本発明は、実施形態の構成に限定されない。
【００１４】
図１Ａは、ラックマウント装置１の一例を示す斜視図である。図１Ｂは、ラックマウント装置１の一例を示す平面図（上面図）である。図１Ｃは、ラックマウント装置１の一例を示す正面図である。ラックマウント装置１は、ラックマウントアングル２Ａ〜２Ｄと、ラック固定用ブラケット３Ａ、３Ｂと、シャフトストッパー４Ａ、４Ｂと、シャフト５Ａ、５Ｂとを備える。ラックマウントアングル２Ａ、２Ｂ、ラック固定用ブラケット３Ａ、シャフトストッパー４Ａ及びシャフト５Ａが一方の組みであり、ラックマウントアングル２Ｃ、２Ｄ、ラック固定用ブラケット３Ｂ、シャフトストッパー４Ｂ及びシャフト５Ｂが他方の組みである。ラックマウントアングル２Ａ〜２Ｄは、マウントアングルの一例である。ラック固定用ブラケット３Ａ、３Ｂは、ブラケットの一例である。ラックマウント装置１には電子機器１０が搭載されている。
【００１５】
ラックマウントアングル２Ａ〜２Ｄは、ラックマウント装置１が設置されている床から垂直方向に立設されている。ラックマウントアングル２Ａ〜２Ｄは、ラックマウント装置１の４隅に配置されている。したがって、ラックマウント装置１が設置されている床の面に対して垂直方向から見て四角形の各頂点にラックマウントアングル２Ａ〜２Ｄが配置されている。すなわち、４つのラックマウントアングル２（２Ａ〜２Ｄ）が、垂直方向にラ
ックマウント装置１の前後左右４隅に立設されている。電子機器１０は、ラックマウントアングル２Ａ〜２Ｄのうち右前のラックマウントアングル２Ａと左前のラックマウントアングル２Ｃの内側に配置されていると共に、右後のラックマウントアングル２Ｂと左後のラックマウントアングル２Ｄの内側に配置されている。
【００１６】
ラック固定用ブラケット３Ａは、ラックマウントアングル２Ａと２Ｂとの間に配置されている。ラック固定用ブラケット３Ａの両端部が、ラックマウントアングル２Ａ、２Ｂに其々同じ高さで固定されている。ラック固定用ブラケット３Ａの両端部は、ラックマウントアングル２Ａ、２Ｂに対してネジ止めによって固定されてもよいし、ラックマウントアングル２Ａ、２Ｂに対して溶接によって固定されてもよい。ただし、ラックマウントアングル２Ａ、２Ｂに対するラック固定用ブラケット３Ａの両端部の固定は、ネジ止め及び溶接に限定されず、他の固定方法であってもよい。ラック固定用ブラケット３Ｂは、ラックマウントアングル２Ｃと２Ｄとの間に配置されている。ラック固定用ブラケット３Ｂの両端部が、ラックマウントアングル２Ｃ、２Ｄに其々同じ高さで固定されている。ラック固定用ブラケット３Ｂの両端部は、ラックマウントアングル２Ｃ、２Ｄに対してネジ止めによって固定されてもよいし、ラックマウントアングル２Ｃ、２Ｄに対して溶接によって固定されてもよい。ただし、ラックマウントアングル２Ｃ、２Ｄに対するラック固定用ブラケット３Ｂの両端部の固定は、ネジ止め及び溶接に限定されず、他の固定方法であってもよい。
【００１７】
シャフトストッパー４Ａは、ラックマウントアングル２Ａと２Ｂとの間に配置され、ラック固定用ブラケット３Ａに固定されている。シャフトストッパー４Ａは、ラック固定用ブラケット３Ａに対してネジ止めによって固定されてもよいし、ラック固定用ブラケット３Ａに対して溶接によって固定されてもよい。ただし、ラック固定用ブラケット３Ａに対するシャフトストッパー４Ａの固定は、ネジ止め及び溶接に限定されず、他の固定方法であってもよい。シャフトストッパー４Ｂは、ラックマウントアングル２Ｃと２Ｄとの間に配置され、ラック固定用ブラケット３Ｂに固定されている。シャフトストッパー４Ｂは、ラック固定用ブラケット３Ｂに対してネジ止めによって固定されてもよいし、ラック固定用ブラケット３Ｂに対して溶接によって固定されてもよい。ただし、ラック固定用ブラケット３Ｂに対するシャフトストッパー４Ｂの固定は、ネジ止め及び溶接に限定されず、他の固定方法であってもよい。
【００１８】
シャフト５Ａは、ラック固定用ブラケット３Ａに平行に配置され、シャフトストッパー４Ａによって支持されている。シャフト５Ｂは、ラック固定用ブラケット３Ｂに平行に配置され、シャフトストッパー４Ｂによって支持されている。シャフトストッパー４Ａ、４Ｂは、シャフト支持部の一例である。電子機器１０の前方部分の左右両側に突起部分１１Ａ、１１Ｂが其々設けられている。シャフト５Ａの一端が、電子機器１０の突起部分１１Ａに固定され、シャフト５Ａの一端の反対側の他端にストッパー用ネジ６Ａが設けられている。シャフト５Ａの一端は、電子機器１０の突起部分１１Ａに対してネジ７Ａによって固定されている。シャフト５Ｂの一端が、電子機器１０の突起部分１１Ｂに固定され、シャフト５Ｂの一端の反対側の他端にストッパー用ネジ６Ｂが設けられている。シャフト５Ｂの一端は、電子機器１０の突起部分１１Ｂに対してネジ７Ｂによって固定されている。シャフト５Ａ、５Ｂは、丸シャフトであってもよいし、角シャフトであってもよい。電子機器１０の引き出し易さの観点から、シャフト５Ａ、５Ｂは、丸シャフトであることが好ましい。ストッパー用ネジ６Ａ、６Ｂは、ネジの一例である。
【００１９】
電子機器１０は、筐体と、筐体に一端が固定されたシャフト５Ａと、筐体に一端が固定されたシャフト５Ｂとを備える。筐体は、電子機器１０の本体部分と、電子機器１０の本体部分に設けられた突起部分１１Ａ、１１Ｂとを有する。電子機器１０は、例えば、サーバ等の情報処理装置である。電子機器１０は、ラックマウント型情報処理装置の一例であ
る。
【００２０】
図２は、シャフト５Ａの一例を示す斜視図である。図３は、ラック固定用ブラケット３Ａ及びシャフトストッパー４Ａの一例を示す斜視図である。図４は、図３のＡ−Ａ断面図である。ここでは、ラック固定用ブラケット３Ａ、シャフトストッパー４Ａ及びシャフト５Ａの各構成について説明するが、ラック固定用ブラケット３Ｂ、シャフトストッパー４Ｂ及びシャフト５Ｂの各構成は、ラック固定用ブラケット３Ａ、シャフトストッパー４Ａ及びシャフト５Ａの各構成と同様である。ラック固定用ブラケット３Ａは、シャフト５Ａを通す貫通穴３１Ａを有する。シャフトストッパー４Ａは、シャフト５Ａを通す貫通穴４１Ａを有する。シャフトストッパー４Ａの貫通穴４１Ａは、シャフトストッパー４Ａの前面４２Ａから後面（背面）４３Ａを貫通している。シャフト５Ａの一端が、ラック固定用ブラケット３Ａの貫通穴３１Ａ及びシャフトストッパー４Ａの貫通穴４１Ａから突出した状態で電子機器１０の突起部分１１Ａに固定される。貫通穴３１Ａの平面形状及び貫通穴４１Ａの平面形状は、円形であってもよいし、矩形であってもよい。電子機器１０の引き出し易さの観点から、貫通穴３１Ａの平面形状及び貫通穴４１Ａの平面形状は、円形であることが好ましい。
【００２１】
図３及び図４に示すように、ラック固定用ブラケット３Ａの前面３２Ａが、シャフトストッパー４Ａの前面４２Ａを覆っているが、図３及び図４に示すラック固定用ブラケット３Ａの構成に限られない。図５に示すように、ラック固定用ブラケット３Ａの前面３２Ａの形成を省略することにより、シャフトストッパー４Ａの前面４２Ａがラック固定用ブラケット３Ａから露出してもよい。図５は、ラック固定用ブラケット３Ａ及びシャフトストッパー４Ａの一例を示す斜視図である。図５に示す固定用ブラケット３Ａの場合、シャフト５Ａの一端が、シャフトストッパー４Ａの貫通穴４１Ａから突出した状態で電子機器１０の突起部分１１Ａに固定される。ラック固定用ブラケット３Ａの長さが固定されていてもよいし、ラック固定用ブラケット３Ａの長さを変更可能な機構がラック固定用ブラケット３Ａに設けられていてもよい。
【００２２】
図６Ａは、ラックマウント装置１の一例を示す正面図である。ラックマウントアングル２Ａは複数の貫通穴２１Ａを有し、ラックマウントアングル２Ｃは複数の貫通穴２１Ｃを有する。図６Ａに示すラックマウント装置１の場合、シャフト５Ａの一端が、ラックマウントアングル２Ａの複数の貫通穴２１Ａの何れかを通って電子機器１０の突起部分１１Ａに固定される。また、シャフト５Ｂの一端が、ラックマウントアングル２Ｃの複数の貫通穴２１Ｃの何れかを通って電子機器１０の突起部分１１Ｂに固定される。なお、ラックマウントアングル２Ａの貫通穴２１Ａにケージナット２３Ａを取り付けて、ケージナット２３Ａの丸穴２４Ａにネジを通すことで、ラック固定用ブラケット３Ａをラックマウントアングル２Ａに固定してもよい。また、ラックマウントアングル２Ａの複数の貫通穴２１Ａのうちの少なくとも一つが丸穴２４Ａであり、当該丸穴２４Ａがネジを固定可能なネジ穴形状であってもよい。この場合、ラックマウントアングル２Ａの丸穴２４Ａにネジを通すことで、ラック固定用ブラケット３Ａがラックマウントアングル２Ａに固定される。ラックマウントアングル２Ｃの貫通穴２１Ｃにケージナット２３Ｃを取り付けて、ケージナット２３Ｃの丸穴２４Ｃにネジを通すことで、ラック固定用ブラケット３Ｂをラックマウントアングル２Ｃに固定してもよい。また、ラックマウントアングル２Ｃの複数の貫通穴２１Ｃのうちの少なくとも一つが丸穴２４Ｃであり、当該丸穴２４Ｃがネジを固定可能なネジ穴形状であってもよい。この場合、ラックマウントアングル２Ｃの丸穴２４Ｃにネジを通すことで、ラック固定用ブラケット３Ｂがラックマウントアングル２Ｃに固定される。
【００２３】
図６Ａに示すラックマウントアングル２Ａ、２Ｃの構成に限られない。図６Ｂに示すように、ラックマウントアングル２Ａは複数の凹部２２Ａを有し、ラックマウントアングル２Ｃは複数の凹部２２Ｃを有してもよい。図６Ｂは、ラックマウント装置１の一例を示す
正面図である。図６Ｂに示すラックマウント装置１の場合、シャフト５Ａの一端が、ラックマウントアングル２Ａの複数の凹部２２Ａの何れかを通って電子機器１０の突起部分１１Ａに固定される。また、シャフト５Ｂの一端が、ラックマウントアングル２Ｃの複数の凹部２２Ｃの何れかを通って電子機器１０の突起部分１１Ｂに固定される。なお、ラックマウントアングル２Ａの凹部２２Ａにケージナット２３Ａを取り付けて、ケージナット２３Ａの丸穴２４Ａにネジを通すことで、ラック固定用ブラケット３Ａをラックマウントアングル２Ａに固定してもよい。また、ラックマウントアングル２Ａの複数の凹部２２Ａのうちの少なくとも一つが丸穴２４Ａであり、当該丸穴２４Ａがネジを固定可能なネジ穴形状であってもよい。この場合、ラックマウントアングル２Ａの丸穴２４Ａにネジを通すことで、ラック固定用ブラケット３Ａがラックマウントアングル２Ａに固定される。ラックマウントアングル２Ｃの凹部２２Ｃにケージナット２３Ａを取り付けて、ケージナット２３Ａの丸穴２４Ａにネジを通すことで、ラック固定用ブラケット３Ｂをラックマウントアングル２Ｃに固定してもよい。また、ラックマウントアングル２Ｃの複数の凹部２２Ａのうちの少なくとも一つが丸穴２４Ａであり、当該丸穴２４Ａがネジを固定可能なネジ穴形状であってもよい。この場合、ラックマウントアングル２Ｃの丸穴２４Ａにネジを通すことで、ラック固定用ブラケット３Ｂがラックマウントアングル２Ｃに固定される。
【００２４】
図７は、ラックマウント装置１の一例を示す平面図であり、図７では、ラックマウント装置１から電子機器１０を水平方向（Ｘ方向）に引き出した状態が示されている。ラックマウント装置１から電子機器１０が引き出される際、シャフトストッパー４Ａの貫通穴４１Ａに沿ってシャフト５Ａが水平方向に移動すると共に、シャフトストッパー４Ｂの貫通穴４１Ｂに沿ってシャフト５Ｂが水平方向に移動する。したがって、シャフト５Ａ、５Ｂは、シャフトストッパー４Ａ、４Ｂによってガイドされながら水平方向に移動することができる。シャフト５Ａ、５Ｂが電子機器１０に固定されているため、シャフト５Ａ、５Ｂが、シャフトストッパー４Ａ、４Ｂによってガイドされながら水平方向に移動することにより、電子機器１０が水平方向に移動する。したがって、ラックマウント装置１から電子機器１０を水平方向に引き出すことが可能である。図７に示すように、電子機器１０が引き出された状態において、電子機器１０は、ラックマウントアングル２Ａとラックマウントアングル２Ｃの内側に配置されている。
【００２５】
シャフト５Ａの他端に設けられているストッパー用ネジ６Ａは、シャフトストッパー４Ａの貫通穴４１Ａの内部に入り込まないようになっている。例えば、シャフト５Ａの他端に設けられているストッパー用ネジ６Ａの頭部の径を、シャフトストッパー４Ａの貫通穴４１Ａの径よりも大きくすることにより、ストッパー用ネジ６Ａをシャフトストッパー４Ａの貫通穴４１Ａの内部に入り込まないようにしてもよい。電子機器１０を引き出して、シャフト５Ａが図７のＸ方向に所定量移動すると、ストッパー用ネジ６Ａがシャフトストッパー４Ａの後面４３Ａに当たることで、シャフト５Ａの移動が停止する。すなわち、電子機器１０が水平方向に移動し、ストッパー用ネジ６Ａがシャフトストッパー４Ａに当たることで電子機器１０の水平方向への移動が規制される。水平方向は、第１方向の一例である。
【００２６】
シャフト５Ｂとストッパー用ネジ６Ｂとの関係についても、シャフト５Ａとストッパー用ネジ６Ａとの関係と同様である。電子機器１０を引き出して、シャフト５Ｂが図７のＸ方向に所定量移動すると、ストッパー用ネジ６Ｂがシャフトストッパー４Ｂの後面４３Ｂに当たることで、シャフト５Ｂの移動が停止する。すなわち、電子機器１０が水平方向に移動し、ストッパー用ネジ６Ｂがシャフトストッパー４Ｂに当たることで電子機器１０の水平方向への移動が規制される。電子機器１０の水平方向への移動が規制されることで、電子機器１０の水平方向の移動が任意の位置で停止する。これにより、ラックマウント装置１から電子機器１０を引き出した際、ラックマウント装置１から電子機器１０が落下することが抑止される。すなわち、電子機器１０の水平方向の移動を任意の位置で停止させ
ることで、ラックマウント装置１から電子機器１０を引き出した際における電子機器１０の落下を抑止することができる。
【００２７】
シャフト５Ａが、シャフトストッパー４Ａによって支持され、シャフト５Ｂが、シャフトストッパー４Ｂによって支持されている。また、シャフト５Ａの一端が、電子機器１０の突起部分１１Ａに固定され、シャフト５Ｂの一端が、電子機器１０の突起部分１１Ｂに固定されている。そのため、電子機器１０が引き出された状態において、電子機器１０が、シャフトストッパー４Ａ、４Ｂ及びシャフト５Ａ、５Ｂによって支持される。
【００２８】
シャフトストッパー４Ａが、ラック固定用ブラケット３Ａに対してネジ止めによって固定されている場合、シャフトストッパー４Ａの位置及びネジ止めの位置を変更することで、ラック固定用ブラケット３Ａに対するシャフトストッパー４Ａの固定位置を変更することが可能である。また、シャフトストッパー４Ｂが、ラック固定用ブラケット３Ｂに対してネジ止めによって固定されている場合、シャフトストッパー４Ｂの位置及びネジ止めの位置を変更することで、ラック固定用ブラケット３Ｂに対するシャフトストッパー４Ｂの固定位置を変更することが可能である。
【００２９】
図８に示すように、シャフトストッパー４Ａ、４Ｂの固定位置を変更することにより、電子機器１０の引き出し量を変更することが可能である。図８の（Ａ）及び（Ｂ）は、ラックマウント装置１の一例を示す平面図である。電子機器１０の引き出し方向において、ラック固定用ブラケット３Ａに対するシャフトストッパー４Ａの固定位置とラックマウントアングル２Ａとの間の距離が小さくなるほど、電子機器１０の引き出し量が大きくなる。図８の（Ａ）に示すように、電子機器１０の引き出し方向において、ラック固定用ブラケット３Ａに対するシャフトストッパー４Ａの固定位置とラックマウントアングル２Ａとの間の距離が最短である場合、電子機器１０の引き出し量が最大になる。
【００３０】
電子機器１０の種類によっては、電子機器１０の引き出し量が異なる場合がある。例えば、ある種類の電子機器１０では、電子機器１０の引き出し量を最大にして、電子機器１０の保守を行う場合がある。また、例えば、ある種類の電子機器１０では、電子機器１０の引き出し量を最大の半分にして、電子機器１０の保守を行う場合がある。シャフトストッパー４Ａ、４Ｂの固定位置を変更して、電子機器１０の引き出し量を変更することにより、電子機器１０の種類に応じて電子機器１０の引き出し量を調整することができる。電子機器１０の引き出し量を大きくすると、ラックマウント装置１によって占有するエリアが大きくなるが、電子機器１０の引き出し量を小さくすることで、ラックマウント装置１によって占有するエリアを小さくすることができる。
【００３１】
図９は、ラックマウント装置１の一例を示す正面図である。図９では、ラックマウントアングル２Ａ、２Ｃの一部が透過して示され、電子機器１０の搭載可能領域６０が点線で示されている。図９に示すように、電子機器１０の左右両側にラック固定用ブラケット３Ａ、３Ｂ、シャフトストッパー４Ａ、４Ｂ及びシャフト５Ａ、５Ｂが搭載されている。ラック固定用ブラケット３Ａ、３Ｂ、シャフトストッパー４Ａ、４Ｂ及びシャフト５Ａ、５Ｂが搭載された領域は、電子機器１０の搭載可能領域６０の外側に位置している。そのため、電子機器１０が搭載された領域の大きさと電子機器１０の搭載可能領域６０の大きさとが一致している。このように、参考例に係る電子機器１１０、２１０が搭載された領域と比較して、電子機器１０が搭載された領域が拡大しており、電子機器１０の搭載可能領域６０における電子機器１０の搭載密度が向上している。
【００３２】
〈実施例〉
図１０Ａ及び図１０Ｂは、実施例に係るラックマウント装置１の一例を示す斜視図である。ラックマウント装置１には、電子機器１０の一例であるサーバ装置７０が搭載されて
いる。ラックマウント装置１は、ラックマウントアングル２Ａ〜２Ｄと、ラック固定用ブラケット３Ａ、３Ｂと、シャフトストッパー４Ａ、４Ｂと、シャフト５Ａ、５Ｂと、サーバ装置７０とを備える。実施例に係るラックマウント装置１は、Electronic Industries Alliance（ＥＩＡ）で規格化されている１９インチラックに対応する寸法形状である。
【００３３】
ラック固定用ブラケット３Ａが、ラックマウントアングル２Ａと２Ｂとの間に配置され、ラック固定用ブラケット３Ａの両端部が、ラックマウントアングル２Ａ、２Ｂに其々同じ高さで固定されている。ラック固定用ブラケット３Ｂが、ラックマウントアングル２Ｃと２Ｄとの間に配置され、ラック固定用ブラケット３Ｂの両端部が、ラックマウントアングル２Ｃ、２Ｄに其々同じ高さで固定されている。シャフトストッパー４Ａが、ラックマウントアングル２Ａと２Ｂとの間に配置され、ラック固定用ブラケット３Ａに固定されている。シャフトストッパー４Ｂが、ラックマウントアングル２Ｃと２Ｄとの間に配置され、ラック固定用ブラケット３Ｂに固定されている。
【００３４】
シャフト５Ａが、ラック固定用ブラケット３Ａに平行に配置され、シャフト５Ａの一端が、サーバ装置７０に固定され、シャフト５Ａの他端にストッパー用ネジ６Ａが固定されている。シャフト５Ａに形成されているタップにストッパー用ネジ６Ａを螺合することにより、シャフト５Ａの他端にストッパー用ネジ６Ａを固定してもよい。シャフト５Ｂが、ラック固定用ブラケット３Ｂに平行に配置され、シャフト５Ｂの一端が、サーバ装置７０に固定され、シャフト５Ｂの他端にストッパー用ネジ６Ｂが固定されている。シャフト５Ｂに形成されているタップにストッパー用ネジ６Ｂを螺合することにより、シャフト５Ｂの他端にストッパー用ネジ６Ｂを固定してもよい。シャフト５Ａ、５Ｂ、ストッパー用ネジ６Ａ、６Ｂ及びサーバ装置７０を一体としてもよい。サーバ装置７０がラックマウント装置１に搭載されている。シャフト５Ａが、シャフトストッパー４Ａの貫通穴４１Ａを通ってシャフトストッパー４Ａを貫通している。シャフト５Ｂが、シャフトストッパー４Ｂの貫通穴４１Ｂを通ってシャフトストッパー４Ｂを貫通している。
【００３５】
図１１は、実施例に係るラックマウント装置１の一例を示す平面図である。図１１に示すように、ラックマウント装置１の４隅にラックマウントアングル２Ａ〜２Ｄが配置されている。ラックマウント装置１の４隅に配置されたラックマウントアングル２Ａ〜２Ｄのうちの前後のラックマウントアングル２Ａ、２Ｂに対してラック固定用ブラケット３Ａが固定されている。ラックマウント装置１の４隅に配置されたラックマウントアングル２Ａ〜２Ｄのうちの前後のラックマウントアングル２Ｃ、２Ｄに対してラック固定用ブラケット３Ｂが固定されている。ラック固定用ブラケット３Ａ、シャフトストッパー４Ａ、シャフト５Ａ及びストッパー用ネジ６Ａが、ラックマウントアングル２Ａとラックマウントアングル２Ｂとの間のスペース７１に搭載されている。ラック固定用ブラケット３Ｂ、シャフトストッパー４Ｂ、シャフト５Ｂ及びストッパー用ネジ６Ｂが、ラックマウントアングル２Ｃとラックマウントアングル２Ｄとの間のスペース７２に搭載されている。
【００３６】
図１２は、実施例に係るサーバ装置７０が搭載された領域と、参考例に係る電子機器１１０が搭載された領域との比較図である。１９インチラックの場合、サーバ装置７０の幅（ラック幅）は４５０ｍｍであり、２Ｕの場合のサーバ装置７０の高さ（装置高さ）は８８．９ｍｍである。装置高さは、１．７５インチ（約４４．４５ｍｍ）を１Ｕとして、１．７５インチの倍数となるように設定されている。サーバ装置７０又は電子機器１１０の搭載可能領域の正面の面積は、４０，００５（８８．９×４５０）ｍｍ２である。
【００３７】
ラックマウント装置１については、サーバ装置７０が搭載された領域（図１２の一点鎖線で示す領域）７３の大きさとサーバ装置７０の搭載可能領域の大きさとが一致している。そのため、サーバ装置７０が搭載された領域７３の正面の面積は、約４０，００５ｍｍ２である。ラックマウント装置１０１については、スライドレール１１１を搭載するため
の領域１４０を電子機器１１０の搭載可能領域内に設ける必要がある。ラックマウント装置１０１については、電子機器１１０の左右両側に約２０ｍｍの幅のスライドレール１１１を取り付けているので、電子機器１１０の幅は約４１０ｍｍである。そのため、電子機器１１０が搭載された領域（図１２の点線で示す領域）１５０の正面の面積は、約３６，４４９ｍｍ２である。したがって、サーバ装置７０の搭載可能領域におけるサーバ装置７０の搭載密度に比べて、電子機器１１０の搭載可能領域における電子機器１１０の搭載密度が約１０％低下する。
【００３８】
図１３は、実施例に係るサーバ装置７０が搭載された領域と、参考例に係る電子機器２１０が搭載された領域との比較図である。ラックマウント装置１については、サーバ装置７０が搭載された領域（図１３の一点鎖線で示す領域）７３の大きさとサーバ装置７０の搭載可能領域の大きさとが一致している。そのため、サーバ装置７０が搭載された領域７３の正面の面積は、約４０，００５ｍｍ２である。ラックマウント装置２０１については、ブラケット２１１を搭載するための領域２４０を電子機器２１０の搭載可能領域内に設ける必要がある。ラックマウント装置２０１については、電子機器２１０の左右両側及び下側に約１．６〜２ｍｍの板厚のブラケット２１１を設けており、電子機器２１０の高さは約８６．９〜８７．３ｍｍであり、電子機器２１０の幅は約４４６〜４４６．８ｍｍである。そのため、電子機器２１０が搭載された領域（図１３の点線で示す領域）２５０の正面の面積は、約３８，７５７〜３９，００６ｍｍ２である。したがって、サーバ装置７０の搭載可能領域におけるサーバ装置７０の搭載密度に比べて、電子機器２１０の搭載可能領域における電子機器２１０の搭載密度が約３％低下する。
【００３９】
ラックマウント装置１では、サーバ装置７０の搭載可能領域内にラックマウントアングル２Ａ〜２Ｄ、ラック固定用ブラケット３Ａ、３Ｂ、シャフトストッパー４Ａ、４Ｂ及びシャフト５Ａ、５Ｂが搭載された領域を設けていない。そのため、ラックマウント装置１については、サーバ装置７０が搭載された領域７３の大きさとサーバ装置７０の搭載可能領域の大きさとが一致しているので、サーバ装置７０の搭載可能領域を最大限利用することができる。
【００４０】
ラックマウント装置１とラックマウント装置１０１、２０１とを比較すると、サーバ装置７０が搭載された領域７３の正面の面積が約３％〜１０％増加すると共に、サーバ装置７０が搭載された領域７３の背面の面積も約３％〜１０％増加する。したがって、ラックマウント装置１によれば、サーバ装置７０の吸気口面積及び排気口面積をラックマウント装置１０１、２０１よりも増加させることができる。そのため、ラックマウント装置１によれば、サーバ装置７０の内部に冷却風をより多く取り込むことができる。これにより、サーバ装置７０の高密度化を実現させると同時に、サーバ装置７０の高信頼性も実現させることができる。
【００４１】
ラックマウント装置１０１の場合、ラックマウント装置１０１に電子機器１１０を搭載したまま、ラックマウント装置１０１から電子機器１１０を引き出して、保守部品１１３の保守を行うことが可能である。８０ｍｍ角の保守部品１１３を電子機器１１０の幅方向に複数並べて搭載する場合、それぞれの保守部品１１３を保守するために、隣接する保守部品１１３の間及び保守部品１１３と電子機器１１０の筐体との間にクリアランスを確保している。そのため、例えば、８０ｍｍ角の保守部品１１３を電子機器１１０の幅方向に５つ並べて搭載する場合、５つの保守部品１１３の幅及びクリアランスの合計値が、電子機器１１０の幅の約４１０ｍｍを越えてしまう。したがって、図１４に示すように、ラックマウント装置１０１の場合、電子機器１１０に対して８０ｍｍ角の保守部品１１３を最大４つまでしか搭載できない。図１４は、参考例に係るラックマウント装置１０１の平面図である。例えば、保守部品１１３がＦＡＮである場合、電子機器１１０の冷却性能が低下する。
【００４２】
ラックマウント装置２０１の場合、電子機器２１０の幅が約４４６〜４４６．８ｍｍであるため、図１５に示すように、８０ｍｍ角の保守部品２１３を電子機器２１０の幅方向に５つ並べて搭載することが可能である。図１５は、参考例に係るラックマウント装置２０１の平面図である。しかし、ラックマウント装置２０１については、電子機器２１０の中央部分や後方部分に保守部品２１３を搭載している場合、電子機器２１０の引き出し量が大きくなる。電子機器２１０の引き出し量が大きくなると、電子機器１１０がバランスを失い、ラックマウント装置２０１から電子機器２１０が落下する可能性がある。そのため、ラックマウント装置２０１から電子機器２１０を降ろして、保守部品２１３の交換を行う。このように、ラックマウント装置２０１については、電子機器２１０の中央部分や後方部分に保守部品２１３を搭載している場合、ラックマウント装置２０１に電子機器２１０を搭載したまま、保守部品２１３の交換を行うことができず、保守性が低下する。
【００４３】
図１６に示すように、ラックマウント装置１の場合、サーバ装置７０の幅が４５０ｍｍであるので、８０ｍｍ角の保守部品７４をサーバ装置７０の幅方向に５つ並べて搭載することが可能である。図１６は、実施例に係るラックマウント装置１の平面図である。保守部品７４は、例えば、ＦＡＮである。サーバ装置７０に固定されたシャフト５Ａが、シャフトストッパー４Ａを貫通し、シャフトストッパー４Ａによって支持される。サーバ装置７０に固定されたシャフト５Ｂが、シャフトストッパー４Ｂを貫通し、シャフトストッパー４Ｂによって支持される。サーバ装置７０を引き出した際、ストッパー用ネジ６Ａ、６Ｂがシャフトストッパー４Ａ、４Ｂに当たって、シャフト５Ａ、５Ｂの水平方向への移動が止まることにより、サーバ装置７０の水平方向の移動が止まる。
【００４４】
図１７の（Ａ）及び（Ｂ）に示すように、ラックマウント装置１にサーバ装置７０を搭載したまま、サーバ装置７０を引き出して、サーバ装置７０の保守部品７４を保守することができる。図１７の（Ａ）及び（Ｂ）は、実施例に係るラックマウント装置１の一例を示す斜視図である。図１７の（Ａ）は、ラックマウント装置１からサーバ装置７０が引き出される前のラックマウント装置１が示されている。図１７の（Ｂ）は、ラックマウント装置１からサーバ装置７０が引き出された後のラックマウント装置１が示されている。ラックマウント装置１によれば、サーバ装置７０の冷却性を向上及び保守性向上を両立させることができる。サーバ装置７０の保守性向上とは、サーバ装置７０の保守部品７４を交換する時間が短くなることである。
【００４５】
〈変形例〉
図２２は、変形例に係るラックマウント装置１の一例を示す平面図である。変形例に係るラックマウント装置１は、ラックマウントアングル２Ａ〜２Ｄと、シャフトストッパー４Ａ、４Ｂと、シャフト５Ａ、５Ｂとを備える。ラックマウントアングル２Ａ、２Ｂ、シャフトストッパー４Ａ及びシャフト５Ａが一方の組みであり、ラックマウントアングル２Ｃ、２Ｄ、シャフトストッパー４Ｂ及びシャフト５Ｂが他方の組みである。
【００４６】
シャフトストッパー４Ａは、ラックマウントアングル２Ａと２Ｂとの間に配置され、ラックマウントアングル２Ａに取り付けられている。シャフトストッパー４Ａは、ラックマウントアングル２Ａに対してネジ止めによって固定されてもよいし、ラックマウントアングル２Ａに対して溶接によって固定されてもよい。ただし、ラックマウントアングル２Ａに対するシャフトストッパー４Ａの固定は、ネジ止め及び溶接に限定されず、他の固定方法であってもよい。シャフトストッパー４Ｂは、ラックマウントアングル２Ｃと２Ｄとの間に配置され、ラックマウントアングル２Ｃに取り付けられている。シャフトストッパー４Ｂは、ラックマウントアングル２Ｃに対してネジ止めによって固定されてもよいし、ラックマウントアングル２Ｃに対して溶接によって固定されてもよい。ただし、ラックマウントアングル２Ｃに対するシャフトストッパー４Ｂの固定は、ネジ止め及び溶接に限定さ
れず、他の固定方法であってもよい。
【００４７】
シャフト５Ａは、シャフトストッパー４Ａによって支持されている。シャフト５Ｂは、シャフトストッパー４Ｂによって支持されている。電子機器１０の前方部分の左右両側に突起部分１１Ａ、１１Ｂが其々設けられている。シャフト５Ａの一端が、電子機器１０の突起部分１１Ａに固定され、シャフト５Ｂの一端が、電子機器１０の突起部分１１Ｂに固定されている。そのため、電子機器１０が引き出された状態において、電子機器１０が、シャフトストッパー４Ａ、４Ｂ及びシャフト５Ａ、５Ｂによって支持される。
【００４８】
電子機器１０は、ラックマウントアングル２Ａ〜２Ｄのうち右前のラックマウントアングル２Ａと左前のラックマウントアングル２Ｃの内側に配置されていると共に、右後のラックマウントアングル２Ｂと左後のラックマウントアングル２Ｄの内側に配置されている。電子機器１０が引き出されると、電子機器１０は、ラックマウントアングル２Ａとラックマウントアングル２Ｃの内側に配置される。図２２に示すラックマウント装置１では、ラックマウントアングル２Ａ、２Ｂに対するラック固定用ブラケット３Ａの取り付けが省略され、ラックマウントアングル２Ｃ、２Ｄに対するラック固定用ブラケット３Ｂの取り付けが省略されている。変形例に係るラックマウント装置１によれば、電子機器１０が搭載された領域が拡大しており、電子機器１０の搭載可能領域における電子機器１０の搭載密度が向上している。
【符号の説明】
【００４９】
１    ラックマウント装置
２Ａ〜２Ｄ    ラックマウントアングル
３Ａ、３Ｂ    ラック固定用ブラケット
４Ａ、４Ｂ    シャフトストッパー
５Ａ、５Ｂ    シャフト
６Ａ、６Ｂ    ストッパー用ネジ
７Ａ、７Ｂ    ネジ
１０    電子機器
１１Ａ、１１Ｂ    突起部分
４１Ａ、４１Ｂ    貫通穴
７０    サーバ装置
【図１Ａ】
2018093062.tif 000003
【図１Ｂ】
2018093062.tif 000004
【図１Ｃ】
2018093062.tif 000005
【図２】
2018093062.tif 000006
【図３】
2018093062.tif 000007
【図４】
2018093062.tif 000008
【図５】
2018093062.tif 000009
【図６Ａ】
2018093062.tif 000010
【図６Ｂ】
2018093062.tif 000011
【図７】
2018093062.tif 000012
【図８】
2018093062.tif 000013
【図９】
2018093062.tif 000014
【図１０Ａ】
2018093062.tif 000015
【図１０Ｂ】
2018093062.tif 000016
【図１１】
2018093062.tif 000017
【図１２】
2018093062.tif 000018
【図１３】
2018093062.tif 000019
【図１４】
2018093062.tif 000020
【図１５】
2018093062.tif 000021
【図１６】
2018093062.tif 000022
【図１７】
2018093062.tif 000023
【図１８】
2018093062.tif 000024
【図１９】
2018093062.tif 000025
【図２０】
2018093062.tif 000026
【図２１】
2018093062.tif 000027
【図２２】
2018093062.tif 000028